(57)【要約】【課題】本発明は、携帯電話ネットワークが輻輳した場合でも、ユーザによる携帯端末の特別な操作を必要とせずに、多数のユーザによる通話を実行することを可能とする携帯端末等を提供することを目的とする。【解決手段】携帯端末２は、ユーザからの所定の電話番号への通話指示を受け付ける入力部２３と、携帯電話ネットワーク１０の交換局４Ａと通信接続可能な第１通信部２１と、入力部が所定の電話番号への通話指示を受け付けた場合、第１通信部に回線交換方式による所定の電話番号への通話の確立を実行させ、回線交換方式による所定の電話番号への通話の確立に成功した場合は、回線交換方式による所定の電話番号への通話を実行し、回線交換方式による所定の電話番号への通話の確立に失敗した場合は、インターネットプロトコルを利用した所定の電話番号への通話を実行する通話制御部２８１と、を有する。【選択図】図１
2018064206.tif 000002
【特許請求の範囲】
【請求項１】
ユーザからの所定の電話番号への通話指示を受け付ける入力部と、
携帯電話ネットワークの交換局と通信接続可能な第１通信部と、
前記入力部が前記所定の電話番号への通話指示を受け付けた場合、前記第１通信部に回線交換方式による前記所定の電話番号への通話の確立を実行させ、回線交換方式による前記所定の電話番号への通話の確立に成功した場合は、回線交換方式による前記所定の電話番号への通話を実行し、回線交換方式による前記所定の電話番号への通話の確立に失敗した場合は、インターネットプロトコルを利用した前記所定の電話番号への通話を実行する通話制御部と、
を有することを特徴とする携帯端末。
【請求項２】
無線ＬＡＮのアクセスポイントと通信接続可能な第２通信部をさらに有し、
前記通話制御部は、回線交換方式による前記所定の電話番号への通話の確立に失敗した場合、前記第２通信部に、アクセスポイントを介した、インターネットプロトコルを利用した前記所定の電話番号への通話の確立を実行させ、アクセスポイントを介した、インターネットプロトコルを利用した前記所定の電話番号への通話の確立に成功した場合は、前記第２通信部及びアクセスポイントを介して、インターネットプロトコルを利用した前記所定の電話番号への通話を実行し、アクセスポイントを介した、インターネットプロトコルを利用した前記所定の電話番号への通話の確立に失敗した場合は、前記第１通信部及び携帯電話ネットワークの基地局を介して、インターネットプロトコルを利用した前記所定の電話番号への通話を実行する、請求項１に記載の携帯端末。
【請求項３】
記憶部と、
前記通話制御部が前記所定の電話番号への通話の実行に失敗した場合、ユーザからの音声データの入力を受け付けて前記記憶部に記憶する記憶制御部と、
ユーザからの音声データが前記記憶部に記憶された場合、前記第２通信部にアクセスポイントを介して音声保存サーバとの通信接続を実行させ、前記第２通信部による音声保存サーバとの通信接続に成功した場合は、前記記憶部に記憶された音声データを前記第２通信部及びアクセスポイントを介して音声保存サーバに送信する音声データ送信部と、をさらに有する請求項２に記載の携帯端末。
【請求項４】
前記音声データ送信部は、前記第２通信部による音声保存サーバとの通信接続に失敗した場合、前記第１通信部に音声保存サーバとの通信接続を実行させ、前記第１通信部による音声保存サーバとの通信接続に成功した場合は、前記記憶部に記憶された音声データを前記第１通信部及び基地局を介して音声保存サーバに送信する、請求項３に記載の携帯端末。
【請求項５】
災害管理サーバから災害が発生したことを示す災害信号を受信する災害信号受信部をさらに有し、
前記通話制御部は、前記災害信号受信部が前記災害信号を受信した場合に限り、インターネットプロトコルを利用した前記所定の電話番号への通話を実行する、請求項１〜４の何れか一項に記載の携帯端末。
【請求項６】
携帯電話ネットワークの交換局と通信接続可能な第１通信部を有する携帯端末の制御方法であって、
ユーザからの所定の電話番号への通話指示を受け付け、
前記所定の電話番号への通話指示を受け付けた場合、前記第１通信部に回線交換方式による前記所定の電話番号への通話の確立を実行させ、回線交換方式による前記所定の電話番号への通話の確立に成功した場合は、回線交換方式による前記所定の電話番号への通話を実行し、回線交換方式による前記所定の電話番号への通話の確立に失敗した場合は、インターネットプロトコルを利用した前記所定の電話番号への通話を実行する、
ことを含むことを特徴とする制御方法。
【請求項７】
携帯電話ネットワークの交換局と通信接続可能な第１通信部を有する携帯端末の制御プログラムであって、
ユーザからの所定の電話番号への通話指示を受け付け、
前記所定の電話番号への通話指示を受け付けた場合、前記第１通信部に回線交換方式による前記所定の電話番号への通話の確立を実行させ、回線交換方式による前記所定の電話番号への通話の確立に成功した場合は、回線交換方式による前記所定の電話番号への通話を実行し、回線交換方式による前記所定の電話番号への通話の確立に失敗した場合は、インターネットプロトコルを利用した前記所定の電話番号への通話を実行する、
ことを前記携帯端末に実行させることを特徴とする制御プログラム。
【発明の詳細な説明】
【技術分野】
【０００１】
本発明は、無線により通話を実行する携帯端末、制御方法及び制御プログラムに関する。
【背景技術】
【０００２】
一般に、地震等の災害が発生した場合、被災者が知り合いに連絡を取るための手段として携帯電話が用いられる。しかしながら、被災地周辺では被災者の安否を確認する通話によって携帯電話ネットワークが輻輳するため、電話が繋がり難くなる。また、電話が繋がらなかった被災者は再発信を行うことが多いため、このような再発信によって携帯電話ネットワークがさらに輻輳してしまう。
【０００３】
例えば、特許文献１には、電話が繋がりにくい災害時に、携帯電話を用いてネットワーク上の伝言板で情報の伝達や閲覧ができるネットワーク伝言板システムが開示されている。
【先行技術文献】
【特許文献】
【０００４】
【特許文献１】特開２００７−２０６８１７号公報
【発明の概要】
【発明が解決しようとする課題】
【０００５】
一般に、特許文献１に記載されたようなネットワーク伝言板システムを利用するためには、事前にそのシステムにユーザ登録をしておく必要があり、災害が発生してからでは利用できない可能性がある。また、このような伝言板システムは、高齢者等のように最新技術を熟知していないユーザには、まだ十分に周知されておらず、多数のユーザにより利用されていない。
【０００６】
本発明は、このような従来の課題を解決すべくなされたものであり、携帯電話ネットワークが輻輳した場合でも、ユーザによる携帯端末の特別な操作を必要とせずに、多数のユーザによる通話を実行することを可能とする携帯端末、制御方法及び制御プログラムを提供することを目的とする。
【課題を解決するための手段】
【０００７】
本発明に係る携帯端末は、ユーザからの所定の電話番号への通話指示を受け付ける入力部と、携帯電話ネットワークの交換局と通信接続可能な第１通信部と、入力部が所定の電話番号への通話指示を受け付けた場合、第１通信部に回線交換方式による所定の電話番号への通話の確立を実行させ、回線交換方式による所定の電話番号への通話の確立に成功した場合は、回線交換方式による所定の電話番号への通話を実行し、回線交換方式による所定の電話番号への通話の確立に失敗した場合は、インターネットプロトコルを利用した所定の電話番号への通話を実行する通話制御部と、を有する。
【０００８】
また、本発明に係る携帯端末において、無線ＬＡＮのアクセスポイントと通信接続可能な第２通信部をさらに有し、通話制御部は、回線交換方式による所定の電話番号への通話の確立に失敗した場合、第２通信部に、アクセスポイントを介した、インターネットプロトコルを利用した所定の電話番号への通話の確立を実行させ、アクセスポイントを介した、インターネットプロトコルを利用した所定の電話番号への通話の確立に成功した場合は、第２通信部及びアクセスポイントを介して、インターネットプロトコルを利用した所定の電話番号への通話を実行し、アクセスポイントを介した、インターネットプロトコルを利用した所定の電話番号への通話の確立に失敗した場合は、第１通信部及び携帯電話ネットワークの基地局を介して、インターネットプロトコルを利用した所定の電話番号への通話を実行することが好ましい。
【０００９】
また、本発明に係る携帯端末において、記憶部と、通話制御部が所定の電話番号への通話の実行に失敗した場合、ユーザからの音声データの入力を受け付けて記憶部に記憶する記憶制御部と、ユーザからの音声データが記憶部に記憶された場合、第２通信部にアクセスポイントを介して音声保存サーバとの通信接続を実行させ、第２通信部による音声保存サーバとの通信接続に成功した場合は、記憶部に記憶された音声データを第２通信部及びアクセスポイントを介して音声保存サーバに送信する音声データ送信部と、をさらに有することが好ましい。
【００１０】
また、本発明に係る携帯端末において、音声データ送信部は、第２通信部による音声保存サーバとの通信接続に失敗した場合、第１通信部に音声保存サーバとの通信接続を実行させ、第１通信部による音声保存サーバとの通信接続に成功した場合は、記憶部に記憶された音声データを第１通信部及び基地局を介して音声保存サーバに送信することが好ましい。
【００１１】
また、本発明に係る携帯端末において、災害管理サーバから災害が発生したことを示す災害信号を受信する災害信号受信部をさらに有し、通話制御部は、災害信号受信部が災害信号を受信した場合に限り、インターネットプロトコルを利用した所定の電話番号への通話を実行することが好ましい。
【００１２】
本発明に係る制御方法は、携帯電話ネットワークの交換局と通信接続可能な第１通信部を有する携帯端末の制御方法であって、ユーザからの所定の電話番号への通話指示を受け付け、所定の電話番号への通話指示を受け付けた場合、第１通信部に回線交換方式による所定の電話番号への通話の確立を実行させ、回線交換方式による所定の電話番号への通話の確立に成功した場合は、回線交換方式による所定の電話番号への通話を実行し、回線交換方式による所定の電話番号への通話の確立に失敗した場合は、インターネットプロトコルを利用した所定の電話番号への通話を実行することを含む。
【００１３】
本発明に係る制御プログラムは、携帯電話ネットワークの交換局と通信接続可能な第１通信部を有する携帯端末の制御プログラムであって、ユーザからの所定の電話番号への通話指示を受け付け、所定の電話番号への通話指示を受け付けた場合、第１通信部に回線交換方式による所定の電話番号への通話の確立を実行させ、回線交換方式による所定の電話番号への通話の確立に成功した場合は、回線交換方式による所定の電話番号への通話を実行し、回線交換方式による所定の電話番号への通話の確立に失敗した場合は、インターネットプロトコルを利用した所定の電話番号への通話を実行することを携帯端末に実行させる。
【発明の効果】
【００１４】
本発明に係る携帯端末、制御方法及び制御プログラムは、携帯電話ネットワークが輻輳した場合でも、ユーザによる携帯端末の特別な操作を必要とせずに、多数のユーザによる通話を実行することが可能となる。
【図面の簡単な説明】
【００１５】
【図１】通信システム１による処理の一例を説明するための模式図である。
【図２】通信システム１の概略構成の一例を示す図である。
【図３】携帯端末２Ａの概略構成の一例を示す図である。
【図４】携帯端末２Ａによる通話処理の動作の例を示すフローチャートである。
【図５】携帯端末２Ａによる通話処理の動作の例を示すフローチャートである。
【発明を実施するための形態】
【００１６】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１７】
図１は、通信システム１による処理の一例を説明するための模式図である。
【００１８】
通信システム１は、複数の携帯端末２Ａ、２Ｂ、複数の基地局３Ａ、３Ｂ、複数の交換局４Ａ、４Ｂ、アクセスポイント５及び接続管理サーバ６等を有し、複数の携帯端末２Ａ、２Ｂの間の通話を実行する。各携帯端末２Ａ、２Ｂは、携帯電話等である。なお、以下では、携帯端末２Ａが発呼側の携帯電話であり、携帯端末２Ｂが着呼側の携帯電話である場合を例にして説明する。
【００１９】
各基地局３Ａ、３Ｂは、各携帯端末２Ａ、２Ｂとの間で無線通信を行うとともに、携帯電話ネットワーク１０に含まれる各交換局４Ａ、４Ｂを介して相互に通信接続される。さらに、基地局３Ａは、ゲートウェイ装置（不図示）を介して、携帯電話ネットワーク１０に接続されたインターネット１１と通信接続される。アクセスポイント５は、携帯端末２Ａとの間で無線ＬＡＮ（Local Area Network）通信方式に従った無線通信を行うとともに、インターネット１１と接続される。接続管理サーバ６は、ＶｏＩＰ（Voice over Internet Protocol）等の、インターネットプロトコルを利用した通話の接続を管理するサーバであり、インターネット１１と通信接続される。なお、以下では、インターネットプロトコルを利用した通話のことをＩＰ通話と称する場合がある。
【００２０】
まず、発呼側の携帯端末２Ａは、ユーザから着呼側の携帯端末２Ｂの電話番号への通話指示を受け付けると、基地局３Ａ、交換局４Ａ、４Ｂを介して、回線交換方式による携帯端末２Ｂの電話番号への通話の確立を実行する（１）。回線交換方式による携帯端末２Ｂの電話番号への通話の確立に成功した場合、発呼側の携帯端末２Ａは、回線交換方式による着呼側の携帯端末２Ｂの電話番号への通話を実行する（２）。一方、携帯電話ネットワーク１０において輻輳等が発生しており、回線交換方式による携帯端末２Ｂの電話番号への通話の確立に失敗した場合、発呼側の携帯端末２Ａは、基地局３Ａ又はアクセスポイント５を介して、着呼側の携帯端末２Ｂの電話番号へのＩＰ通話を実行する（３）。
【００２１】
発呼側の携帯端末２Ａは、回線交換方式による携帯端末２Ｂの電話番号への通話の確立に失敗した場合でも、ユーザに対して特定の通知を行うことなく、ＩＰ通話を実行する。したがって、発呼側の携帯端末２Ａのユーザは、携帯電話ネットワーク１０が輻輳している場合であっても、特別な操作を必要とせずに、着呼側の携帯端末２Ｂのユーザと通話を行うことが可能となる。
【００２２】
また、通信システム１に含まれる各携帯端末は、回線交換方式による通話を確立できるか否かにより、通話に使用する経路を自動的に決定する。したがって、通信システム１において携帯電話ネットワーク１０が輻輳している場合、各携帯端末は、インターネット１１を介してＩＰ通話を行うため、多数のユーザによる通話を実行することが可能となる。
【００２３】
図２は、実施形態に従った通信システム１の概略構成の一例を示す図である。
【００２４】
通信システム１は、複数の携帯端末２Ａ、２Ｂ、複数の基地局３Ａ、３Ｂ、複数の交換局４Ａ、４Ｂ、４Ｃ、アクセスポイント５、接続管理サーバ６、複数のゲートウェイ装置７Ａ、７Ｂ、音声保存サーバ８及び災害管理サーバ９等を有する。通信システム１において、携帯端末２Ａは、携帯電話ネットワーク１０又はインターネット１１を介して、携帯端末２Ｂ、接続管理サーバ６、音声保存サーバ８及び災害管理サーバ９等と通信接続される。携帯電話ネットワーク１０は、第３世代（３Ｇ）又はＬＴＥ（Long Term Evolution）のネットワーク等である。
【００２５】
複数の基地局３Ａ、３Ｂは、特定の地域内をカバーする無線エリアを管理するように配置され、各無線エリア内に位置する各携帯端末２Ａ、２Ｂとの間で無線通信を行う。また、各基地局３Ａ、３Ｂは、各交換局４Ａ、４Ｂと通信接続し、各携帯端末２Ａ、２Ｂと各交換局４Ａ、４Ｂとの間の通信を中継する。さらに、基地局３Ａは、ゲートウェイ装置７Ａを介して、インターネット１１と通信接続される。以下では、複数の基地局３Ａ、３Ｂをまとめて基地局３と称する場合がある。
【００２６】
複数の交換局４Ａ、４Ｂ及び４Ｃは、携帯電話ネットワーク１０に含まれる移動体通信交換局であり、各携帯端末２Ａ、２Ｂの通話路、データ通信路の設定、解放、交換、移動管理等を行う。以下では、複数の交換局４Ａ、４Ｂ及び４Ｃをまとめて交換局４と称する場合がある。
【００２７】
アクセスポイント５は、サービスエリア内に位置する携帯端末２Ａとの間で無線ＬＡＮ通信方式に従った無線通信を行う。また、アクセスポイント５は、インターネット１１と接続される。
【００２８】
接続管理サーバ６は、ＩＰ通話の接続を管理するサーバであり、インターネット１１と通信接続される。
【００２９】
ゲートウェイ装置７Ａは、基地局３Ａとインターネット１１とを接続するゲートウェイである。ゲートウェイ装置７Ａは、基地局３Ａから携帯電話ネットワーク１０（コアネットワーク）で用いられる通信プロトコルに従って送信された各種データを、ＴＣＰ／ＩＰ（Transmission Control Protocol / Internet Protocol）等のプロトコルに従ったデータに変換し、インターネット１１に接続する各装置へ転送する。同様に、ゲートウェイ装置７Ａは、インターネット１１に接続する各装置からＴＣＰ／ＩＰ等のプロトコルに従って送信された各種データを、携帯電話ネットワーク１０で用いられる通信プロトコルに従ったデータに変換し、基地局３Ａへ転送する。
【００３０】
ゲートウェイ装置７Ｂは、インターネット１１と携帯電話ネットワーク１０とを接続するゲートウェイである。ゲートウェイ装置７Ｂは、インターネット１１に接続する各装置からＴＣＰ／ＩＰ等のプロトコルに従って送信された各種データを、携帯電話ネットワーク１０で用いられる通信プロトコルに従ったデータに変換し、携帯電話ネットワーク１０内の交換局４Ｃへ転送する。同様に、ゲートウェイ装置７Ｂは、交換局４Ｃから携帯電話ネットワーク１０で用いられる通信プロトコルに従って送信された各種データを、ＴＣＰ／ＩＰ等のプロトコルに従ったデータに変換し、インターネット１１に接続する各装置へ転送する。
【００３１】
音声保存サーバ８は、留守番電話サービスを提供するサーバであり、携帯電話ネットワーク１０と通信接続される。なお、音声保存サーバ８は、インターネット１１と通信接続されてもよい。音声保存サーバ８は、例えば、携帯端末２Ａから送信された携帯端末２Ｂへの音声データを保存しておき、携帯端末２Ｂからの要求に従って、保存された音声データを携帯端末２Ｂへ送信する。
【００３２】
災害管理サーバ９は、特定の地域で災害が発生した場合に、災害が発生したことを示す災害信号を送信するサーバであり、携帯電話ネットワーク１０と通信接続される。なお、災害管理サーバ９は、インターネット１１と通信接続されてもよい。
【００３３】
図３は、携帯端末２Ａの概略構成の一例を示す図である。
【００３４】
複数の携帯端末２Ａ、２Ｂは、例えば携帯電話（いわゆる「フィーチャーフォン」）、多機能携帯電話（いわゆる「スマートフォン」）等である。携帯端末２Ｂの構成は、携帯端末２Ａの構成と同様であるため、以下では、代表して携帯端末２Ａの構成について説明する。携帯端末２Ａは、第１通信部２１、第２通信部２２、入力部２３、表示部２４、音声入力部２５、音声出力部２６、記憶部２７及び制御部２８等を有する。
【００３５】
第１通信部２１は、例えば２．１ＧＨｚ帯等の帯域を感受帯域とするアンテナを含む、通信インターフェース回路を有する。第１通信部２１は、基地局３及び携帯電話ネットワーク１０の交換局４と通信接続可能であり、携帯電話ネットワーク１０を介して他の携帯端末と通信を行う。通信部２１は、基地局３により割り当てられるチャネルを介して、基地局３の内の何れかとの間でＷ−ＣＤＭＡ（Wideband Code Division Multiple Access）方式等による無線通信を確立し、基地局３との間で通信を行う。なお、基地局３との間の通信方式は、Ｗ−ＣＤＭＡ方式に限定されず、ＣＤＭＡ（Code Division Multiple Access）方式、ＬＴＥ（Long Term Evolution）方式等の他の通信方式でもよく、今後使用される通信方式でもよい。また、基地局３との間の通信方式は、ＰＨＳ（Personal Handy-phone System）等の他の通信方式でもよい。通信部２１は、基地局３から受信したデータを制御部２８に供給し、制御部２８から供給されたデータを基地局３に送信する。
【００３６】
第２通信部２２は、主に２．４ＧＨｚ帯、５ＧＨｚ帯等を感受帯域とするアンテナを含む、通信インターフェース回路を有し、無線ＬＡＮのアクセスポイント５との間でＩＥＥＥ（Institute of Electrical and Electronic Engineers）８０２．１１規格の無線通信方式に基づいて無線通信を行う。第２通信部２２は、アクセスポイント５と通信接続可能であり、インターネット１１を介して、インターネット１１に接続する各装置と通信を行う。第２通信部２２は、アクセスポイント５から受信したデータを制御部２８に供給し、制御部２８から供給されたデータをアクセスポイント５に送信する。
【００３７】
入力部２３は、ユーザによる操作を受け付けるデバイスである。入力部２３は、携帯端末２の操作が可能であればどのようなデバイスでもよく、例えば、タッチパネル式の入力装置、キーパッド等である。ユーザは、入力部２３を用いて、文字、数字等を入力することができる。入力部２３は、ユーザにより操作されると、その操作に対応する信号を発生する。発生した信号は、ユーザからの指示として制御部２８に入力される。
【００３８】
表示部２４は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２４は、制御部２８から供給される動画像データに応じた動画像、静止画像データに応じた静止画像等を表示する。
【００３９】
音声入力部２５は、マイクロフォン、増幅器及びＡ／Ｄ変換器等を有し、入力された音声をデジタルの音声データに変換して制御部２８へ出力する電気回路である。
【００４０】
音声出力部２６は、例えば、スピーカ等である。音声出力部２６は、制御部２８から供給される音声データに応じた音声を発する。
【００４１】
記憶部２７は、例えば、半導体メモリを有する。記憶部２７は、制御部２８による処理に用いられる各種コンピュータプログラム、データ等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２７にインストールされてもよい。
【００４２】
また、記憶部２７は、データとして、ユーザにより音声入力部２５を介して入力された音声データ等を記憶する。さらに、記憶部２７は、データとして、携帯端末２Ａの電話番号、携帯端末２Ａに割り当てられたＩＰ通話を行うための識別番号（ＩＰ通話用ＩＤ）等を記憶する。なお、本実施形態では、ＩＰ通話用ＩＤとして、携帯端末２Ａの電話番号が使用される。これにより、携帯電話ネットワーク１０を提供する通信事業者は、ユーザにより使用契約がなされた各携帯端末に対して、自動的にＩＰ通話用ＩＤを割り当てることが可能となる。各ユーザは、ＩＰ通話用ＩＤの登録又は取得等を行うことなくＩＰ通話を利用することができ、ユーザの利便性を向上させることが可能となる。
【００４３】
制御部２８は、一又は複数個のプロセッサ及びその周辺回路を有する。制御部２８は、携帯端末２Ａの全体的な動作を統括的に制御するものであり、例えば、ＣＰＵ（Central Processing Unit）である。制御部２８は、携帯端末２Ａの各種処理が記憶部２７に記憶されているプログラム、入力部２３の操作等に応じて適切な手順で実行されるように、第１通信部２１、第２通信部２２、表示部２４、音声入力部２５及び音声出力部２６等の動作を制御する。
【００４４】
制御部２８は、通話制御部２８１、災害信号受信部２８２、記憶制御部２８３及び音声データ送信部２８４等を有する。制御部２８が有するこれらの各部は、制御部２８が有するプロセッサ上で実行されるプログラムによって実装される機能モジュールである。または、制御部２８が有するこれらの各部は、独立した集積回路、マイクロプロセッサ、又はファームウェアとして携帯端末２Ａに実装されてもよい。
【００４５】
図４及び図５は、携帯端末２Ａによる通話処理の動作の例を示すフローチャートである。
【００４６】
以下に説明するフローチャートは、予め記憶部２７に記憶されているプログラムに基づいて、主に制御部２８により、携帯端末２Ａの各要素と協働して実行される。なお、このフローチャートでは、携帯端末２Ａから、携帯端末２Ｂに発呼する場合を例にして説明する。
【００４７】
最初に、入力部２３は、ユーザからの携帯端末２Ｂの電話番号への通話指示を受け付けるまで待機する（ステップＳ１０１）。
【００４８】
入力部２３が携帯端末２Ｂの電話番号への通話指示を受け付けた場合、通話制御部２８１は、第１通信部２１に基地局のサーチ（周波数サーチ）を実行させ、第１通信部２１が基地局３Ａから報知信号を受信したか否かを判定する（ステップＳ１０２）。通話制御部２８１は、所定時間経過しても第１通信部２１が基地局３Ａから報知信号を受信しなかった場合、基地局３Ａとの無線通信の確立に失敗したと判定し、処理をステップＳ１０７へ移行する。
【００４９】
一方、通話制御部２８１は、第１通信部２１が基地局３Ａから報知信号を受信した場合、基地局３Ａとの無線通信の確立に成功したと判定し、報知信号に含まれるアクセスクラス情報を特定する。アクセスクラス情報には、携帯電話ネットワーク１０へのアクセスが規制される装置又はサービス等が示される。通話制御部２８１は、特定したアクセスクラス情報に基づいて、携帯端末２Ａ又は回線交換方式による通話がアクセスクラスの規制対象であるか否かを判定する（ステップＳ１０３）。通話制御部２８１は、携帯端末２Ａ又は回線交換方式による通話がアクセスクラスの規制対象である場合、処理をステップＳ１０７へ移行する。
【００５０】
一方、通話制御部２８１は、携帯端末２Ａ又は回線交換方式による通話がアクセスクラスの規制対象でなかった場合、第１通信部２１に携帯端末２Ｂの電話番号への発呼要求を交換局４Ａへ送信させる。そして、通話制御部２８１は、第１通信部２１が交換局４Ａから携帯端末２Ｂとの接続成功を示す接続成功信号を受信したか否かを判定する（ステップＳ１０４）。
【００５１】
通話制御部２８１は、第１通信部２１が交換局４Ａから接続成功信号を受信した場合、回線交換方式による携帯端末２Ｂの電話番号への通話の確立に成功したと判定する（ステップＳ１０５）。
【００５２】
その場合、通話制御部２８１は、回線交換方式による携帯端末２Ｂの電話番号への通話を実行し（ステップＳ１０６）、一連のステップを終了する。
【００５３】
一方、通話制御部２８１は、所定時間経過しても第１通信部２１が交換局４Ａから携帯端末２Ｂとの接続成功を示す接続成功信号を受信しなかった場合、回線交換方式による携帯端末２Ｂの電話番号への通話の確立に失敗したと判定する（ステップＳ１０７）。なお、通話制御部２８１は、ステップＳ１０２で第１通信部２１が報知信号を受信しなかった場合、又は、ステップＳ１０３で携帯端末２Ａ又は回線交換方式による通話がアクセスクラスの規制対象であった場合も同様に、回線交換方式による携帯端末２Ｂの電話番号への通話の確立に失敗したと判定する。
【００５４】
このように、通話制御部２８１は、第１通信部２１に回線交換方式による携帯端末２Ｂの電話番号への通話の確立を実行させ、回線交換方式による携帯端末２Ｂの電話番号への通話の確立に成功したか否かを判定する。なお、通話制御部２８１は、ステップＳ１０２〜Ｓ１０５、Ｓ１０７の処理により、第１通信部２１に第１通信部２１に携帯電話ネットワーク１０の交換局４Ａとの通信接続を実行させており、交換局４Ａとの通信接続に成功したか否かについても判定している。
【００５５】
通話制御部２８１は、回線交換方式による携帯端末２Ｂの電話番号への通話の確立に失敗した場合、災害信号受信部２８２が過去の所定期間内（例えば１０分間）に、第１通信部２１又は第２通信部２２を介して災害管理サーバ９から災害信号を受信していたか否かを判定する（ステップＳ１０８）。
【００５６】
通話制御部２８１は、災害信号受信部２８２が災害信号を受信していなかった場合、即ち災害が発生していない場合、処理をステップＳ１１４に移行する。この場合、通話制御部２８１は、以下のステップＳ１０９〜Ｓ１１３の処理を実行せず、携帯端末２Ｂの電話番号へのＩＰ通話を実行しない。
【００５７】
一方、通話制御部２８１は、災害信号受信部２８２が災害信号を受信していた場合、即ち災害が発生している場合、第２通信部２２に無線ＬＡＮのアクセスポイント５との通信接続を実行させ、アクセスポイント５との無線通信の確立に成功したか否かを判定する（ステップＳ１０９）。通話制御部２８１は、第２通信部２２が所定時間経過してもアクセスポイント５からビーコン信号を受信しなかった場合、プローブ要求に対するプローブ応答を受信しなかった場合、又は、アクセスポイント５による認証に失敗した場合、アクセスポイント５との無線通信の確立に失敗したと判定し、処理をステップＳ１１３に移行する。
【００５８】
一方、通話制御部２８１は、アクセスポイント５からビーコン信号及びプローブ応答を受信し、且つ、アクセスポイント５による認証に成功した場合、アクセスポイント５との無線通信の確立に成功したと判定する。その場合、通話制御部２８１は、第２通信部２２に、携帯端末２Ｂの電話番号へのＩＰ通話の発呼要求を接続管理サーバ６へ送信させ、第２通信部２２が接続管理サーバ６から携帯端末２Ｂとの接続成功を示す接続成功信号を受信したか否かを判定する（ステップＳ１１０）。
【００５９】
通話制御部２８１は、第２通信部２２が接続管理サーバ６から接続成功信号を受信した場合、アクセスポイント５を介した携帯端末２Ｂの電話番号へのＩＰ通話の確立に成功したと判定する（ステップＳ１１１）。
【００６０】
次に、通話制御部２８１は、第２通信部２２及びアクセスポイント５を介して、携帯端末２Ｂの電話番号へのＩＰ通話を実行し（ステップＳ１１２）、一連のステップを終了する。なお、本実施形態では、各携帯端末２Ａ、２Ｂには、ＩＰ通話用ＩＤとして、各携帯端末２Ａ、２Ｂの電話番号が割り当てられている。通話制御部２８１は、携帯端末２Ａの電話番号をＩＰ通話用ＩＤとして、携帯端末２Ｂの電話番号へのＩＰ通話を実行する。
【００６１】
ＩＰ通話が実行される場合、接続管理サーバ６は、携帯端末２Ａから基地局３Ａ、ゲートウェイ装置７Ａ及びインターネット１１を介して要求された呼を、ゲートウェイ装置７Ｂ、携帯電話ネットワーク１０の交換局４Ｃ、４Ｂ及び基地局３Ｂを介して携帯端末２Ｂに接続する。なお、接続管理サーバ６は、携帯端末２Ａから要求された呼を、携帯電話ネットワーク１０の交換局４Ｃ、４Ｂを介さずに、ゲートウェイ装置及び基地局３Ｂを介して携帯端末２Ｂに接続してもよい。
【００６２】
一方、通話制御部２８１は、所定時間経過しても第２通信部２２が接続管理サーバ６から携帯端末２Ｂとの接続成功を示す接続成功信号を受信しなかった場合、アクセスポイント５を介した携帯端末２Ｂの電話番号へのＩＰ通話の確立に失敗したと判定する（ステップＳ１１３）。なお、通話制御部２８１は、ステップＳ１０９でアクセスポイント５との無線通信の確立に失敗していた場合も同様に、アクセスポイント５を介した携帯端末２Ｂの電話番号へのＩＰ通話の確立に失敗したと判定する。
【００６３】
このように、通話制御部２８１は、第２通信部２２に、アクセスポイント５を介した携帯端末２Ｂの電話番号へのＩＰ通話の確立を実行させ、アクセスポイント５を介した携帯端末２Ｂの電話番号へのＩＰ通話の確立に成功したか否かを判定する。なお、通話制御部２８１は、ステップＳ１０９〜Ｓ１１１、Ｓ１１３の処理により、第２通信部２２にアクセスポイント５を介して接続管理サーバ６との通信接続を実行させており、接続管理サーバ６との通信接続に成功したか否かについても判定している。
【００６４】
アクセスポイント５を介した携帯端末２Ｂの電話番号へのＩＰ通話の確立に失敗した場合、通話制御部２８１は、ステップＳ１０２の処理と同様にして、第１通信部２１が基地局３Ａから報知信号を受信したか否かを判定する（ステップＳ１１４）。通話制御部２８１は、所定時間経過しても第１通信部２１が基地局３Ａから報知信号を受信しなかった場合、基地局３Ａとの無線通信の確立に失敗したと判定し、処理をステップＳ１１９へ移行する。
【００６５】
一方、通話制御部２８１は、第１通信部２１が基地局３Ａから報知信号を受信した場合、基地局３Ａとの無線通信の確立に成功したと判定し、ステップＳ１０３の処理と同様にして、携帯端末２Ａによる通話がアクセスクラスの規制対象であるか否かを判定する（ステップＳ１１５）。通話制御部２８１は、携帯端末２Ａによる通話がアクセスクラスの規制対象である場合、処理をステップＳ１１９へ移行する。
【００６６】
一方、通話制御部２８１は、携帯端末２Ａよる通話がアクセスクラスの規制対象でなかった場合、第１通信部２１に、携帯端末２Ｂの電話番号へのＩＰ通話の発呼要求を接続管理サーバ６へ送信させ、第１通信部２１が接続管理サーバ６から接続成功信号を受信したか否かを判定する（ステップＳ１１６）。
【００６７】
通話制御部２８１は、第１通信部２１が接続管理サーバ６から接続成功信号を受信した場合、基地局３Ａを介した携帯端末２Ｂの電話番号へのＩＰ通話の確立に成功したと判定する（ステップＳ１１７）。
【００６８】
次に、通話制御部２８１は、第１通信部２１及び基地局３Ａを介して、携帯端末２Ｂの電話番号へのＩＰ通話を実行し（ステップＳ１１８）、一連のステップを終了する。
【００６９】
一方、通話制御部２８１は、所定時間経過しても第１通信部２１が接続管理サーバ６から接続成功信号を受信しなかった場合、基地局３Ａを介した携帯端末２Ｂの電話番号へのＩＰ通話の確立に失敗したと判定する（ステップＳ１１９）。なお、通話制御部２８１は、ステップＳ１１４で第１通信部２１が報知信号を受信しなかった場合、又は、ステップＳ１１５で携帯端末２Ａによる通話がアクセスクラスの規制対象であった場合も同様に、基地局３Ａを介した携帯端末２Ｂの電話番号へのＩＰ通話の確立に失敗したと判定する。
【００７０】
このように、通話制御部２８１は、第１通信部２１に、基地局３Ａを介した携帯端末２Ｂの電話番号へのＩＰ通話の確立を実行させ、基地局３Ａを介した携帯端末２Ｂの電話番号へのＩＰ通話の確立に成功したか否かを判定する。なお、通話制御部２８１は、ステップＳ１１４〜Ｓ１１７、Ｓ１１９の処理により、第１通信部２１に基地局３Ａを介して接続管理サーバ６との通信接続を実行させており、接続管理サーバ６との通信接続に成功したか否かについても判定している。
【００７１】
一方、通話制御部２８１が基地局３Ａを介した携帯端末２Ｂの電話番号へのＩＰ通話の確立に失敗した場合、即ち携帯端末２Ｂの電話番号への通話の実行に失敗した場合、記憶制御部２８３は、ユーザからの音声データの入力を受け付けて記憶部２７に記憶する（ステップＳ１２０）。
【００７２】
記憶制御部２８３は、例えば、現在は携帯端末２Ｂと通信できないので携帯端末２Ｂのユーザ宛てのメッセージを録音することをユーザに促す音声を音声出力部２６に出力させる。そして、記憶制御部２８３は、ユーザにより入力された音声に対応する音声データを音声入力部２５から取得し、携帯端末２Ｂの電話番号と関連付けて記憶部２７に記憶しておく。
【００７３】
ユーザからの音声データが記憶部２７に記憶された場合、音声データ送信部２８４は、第２通信部２２にアクセスポイント５を介して音声保存サーバ８との通信接続を実行させ、音声保存サーバ８との通信接続に成功したか否かを判定する（ステップＳ１２１）。
【００７４】
音声データ送信部２８４は、ステップＳ１０５の処理と同様にして、第２通信部２２にアクセスポイント５との通信接続を実行させる。音声データ送信部２８４は、アクセスポイント５との無線通信の確立に失敗した場合、通話制御部２８１は、第２通信部２２による音声保存サーバ８との通信接続に失敗したと判定する。一方、音声データ送信部２８４は、アクセスポイント５との無線通信の確立に成功した場合、第２通信部２２に、音声データの保存を要求する要求信号を音声保存サーバ８へ送信させる。音声データ送信部２８４は、所定時間経過しても第２通信部２２が音声保存サーバ８から要求信号に対する応答信号を受信しなかった場合、第２通信部２２による音声保存サーバ８との通信接続に失敗したと判定する。一方、音声データ送信部２８４は、第２通信部２２が音声保存サーバ８から応答信号を受信した場合、第２通信部２２による音声保存サーバ８との通信接続に成功したと判定する。
【００７５】
音声データ送信部２８４は、第２通信部２２による音声保存サーバ８との通信接続に成功した場合、記憶部２７に記憶された音声データ及び携帯端末２Ｂの電話番号を第２通信部２２及びアクセスポイント５を介して音声保存サーバ８に送信し（ステップＳ１２２）、一連のステップを終了する。音声データ送信部２８４は、例えばＳＭＴＰ（Simple Mail Transfer Protocol）又はＨＴＴＰ（Hypertext Transfer Protocol）等の通信プロトコルに従って、音声データ及び携帯端末２Ｂの電話番号を音声保存サーバ８に送信する。
【００７６】
なお、音声保存サーバ８は、受信した音声データ及び携帯端末２Ｂの電話番号を関連付けて保存し、携帯端末２Ｂのユーザ宛ての音声データが保存されたことを示すメッセージを携帯端末２Ｂに送信する。音声保存サーバ８は、携帯端末２Ｂから音声データの送信要求を受信した場合、携帯端末２Ｂの電話番号に関連付けられた音声データを携帯端末２Ｂに送信する。これにより、携帯端末２Ｂのユーザは、携帯端末２Ａのユーザにより録音された音声データを聞くことができる。
【００７７】
一方、音声データ送信部２８４は、第２通信部２２による音声保存サーバ８との通信接続に失敗した場合、第１通信部２１に基地局３Ａを介して音声保存サーバ８との通信接続を実行させ、音声保存サーバ８との通信接続に成功したか否かを判定する（ステップＳ１２３）。
【００７８】
音声データ送信部２８４は、ステップＳ１０１の処理と同様にして、第１通信部２１に基地局３Ａとの通信接続を実行させる。音声データ送信部２８４は、基地局３Ａとの無線通信の確立に失敗した場合、通話制御部２８１は、第１通信部２１による音声保存サーバ８との通信接続に失敗したと判定する。一方、音声データ送信部２８４は、基地局３Ａとの無線通信の確立に成功した場合、第１通信部２１に、音声データの保存を要求する要求信号を音声保存サーバ８へ送信させる。音声データ送信部２８４は、所定時間経過しても第１通信部２１が音声保存サーバ８から要求信号に対する応答信号を受信しなかった場合、第１通信部２１による音声保存サーバ８との通信接続に失敗したと判定する。一方、音声データ送信部２８４は、第１通信部２１が音声保存サーバ８から応答信号を受信した場合、第１通信部２１による音声保存サーバ８との通信接続に成功したと判定する。
【００７９】
音声データ送信部２８４は、第１通信部２１による音声保存サーバ８との通信接続に成功した場合、記憶部２７に記憶された音声データ及び携帯端末２Ｂの電話番号を第１通信部２１及び基地局３Ａを介して音声保存サーバ８に送信し（ステップＳ１２４）、一連のステップを終了する。この場合も、音声保存サーバ８は、受信した音声データ及び携帯端末２Ｂの電話番号を関連付けて保存し、携帯端末２Ｂのユーザ宛ての音声データが保存されたことを示すメッセージを携帯端末２Ｂに送信する。音声保存サーバ８は、携帯端末２Ｂから音声データの送信要求を受信した場合、携帯端末２Ｂの電話番号に関連付けられた音声データを携帯端末２Ｂに送信する。これにより、携帯端末２Ｂのユーザは、携帯端末２Ａのユーザにより録音された音声データを聞くことができる。
【００８０】
一方、音声データ送信部２８４は、第１通信部２１による音声保存サーバ８との通信接続に失敗した場合、処理をステップＳ１２１に戻し、ステップＳ１２１〜Ｓ１２４の処理を繰り返す。これにより、音声データ送信部２８４は、音声保存サーバ８との通信接続に成功するとすぐに、携帯端末２Ｂのユーザ宛ての音声データを音声保存サーバ８に送信することが可能となる。
【００８１】
このように、通話制御部２８１は、回線交換方式による携帯端末２Ｂの電話番号への通話の確立に成功した場合、回線交換方式による通話を実行し、回線交換方式による携帯端末２Ｂの電話番号への通話の確立に失敗した場合、ＩＰ通話を実行する。これにより、携帯電話ネットワーク１０が輻輳している場合、各携帯端末はインターネット１１を介してＩＰ通話を行うため、通信システム１は多数のユーザによる通話を実行することが可能となる。その結果、通信システム１は、携帯電話ネットワーク１０における輻輳の発生を低減させ、通信成功率を向上させることが可能となる。
【００８２】
また、通話制御部２８１は、回線交換方式による携帯端末２Ｂの電話番号への通話の確立に失敗した場合、自動的に、ＩＰ通話を実行する。これにより、携帯端末２Ａのユーザは、携帯電話ネットワーク１０が輻輳している場合であっても、特別な操作を必要とせずに、携帯端末２Ｂのユーザと通話を行うことが可能となる。また、携帯端末２Ａは、携帯端末２Ｂの電話番号への通話指示以外の操作を必要としないため、高齢者等のように最新技術を熟知していないユーザであっても、容易に携帯端末２Ｂのユーザと通話を行うことでき、ユーザの利便性を向上させることが可能となる。なお、通話制御部２８１は、回線交換方式による携帯端末２Ｂの電話番号への通話の確立に失敗した場合、ＩＰ通話が実行されるまで、リングバックトーン又は他の電話音を音声出力部２６に出力させ続けてもよい。これにより、携帯端末２Ａのユーザは、携帯電話ネットワーク１０が輻輳している場合であっても、携帯端末２Ｂのユーザとの通話が可能になるまで、不安を感じることなく待ち続けることができる。
【００８３】
また、通話制御部２８１は、ＩＰ通話を実行する場合、基地局３Ａを介した通話より、アクセスポイント５を介した通話を優先して実行する。これにより、災害発生等によって輻輳している携帯電話ネットワーク１０の使用が抑制されるため、通信システム１は、携帯電話ネットワーク１０の輻輳を緩和させることが可能となる。
【００８４】
なお、ＩＰ通話を実行する場合、通話制御部２８１は、ステップＳ１０９〜Ｓ１１３の処理より前にステップＳ１１４〜Ｓ１１９の処理を実行し、アクセスポイント５を介した通話より、基地局３Ａを介した通話を優先して実行してもよい。また、通話制御部２８１は、ステップＳ１０９〜Ｓ１１３の処理、又は、ステップＳ１１４〜Ｓ１１９の処理の内の何れか一方を省略し、アクセスポイント５を介した通話、又は、基地局３Ａを介した通話の内の何れか一方を実行しなくてもよい。
【００８５】
また、通話制御部２８１は、アクセスポイント５を介した通話に代えて又は加えて、近距離無線通信等の他の無線通信技術を用いて、ＩＰ通話を実行してもよい。その場合、携帯端末２は、Ｂｌｕｅｔｏｏｔｈ（登録商標）、ＺｉｇＢｅｅ等の通信方式に従った近距離無線通信を行う近距離無線通信部（不図示）を有し、インターネット１１に接続された近距離無線通信装置（不図示）と無線通信を行う。そして、通話制御部２８１は、近距離無線通信部に近距離無線通信装置との通信接続を実行させ、近距離無線通信装置との通信接続に成功した場合、近距離無線通信部及び近距離無線通信装置を介して、ＩＰ通話を実行する。この場合も、携帯電話ネットワーク１０が輻輳している場合、各携帯端末は、インターネット１１を介してＩＰ通話を行うため、通信システム１は、多数のユーザによる通話を実行することが可能となる。
【００８６】
また、携帯端末２Ａは、通話の実行に失敗した場合、ユーザからの音声データを携帯端末２Ａの記憶部２７に一旦記憶しておき、音声保存サーバ８との通信接続に成功したときに、その音声データを音声保存サーバ８に送信する。これにより、携帯端末２Ａは、携帯端末２Ｂと通信接続できない場合、又は、留守番電話サービスを提供する留守番電話センターと通信接続できない場合でも、ユーザからの音声メッセージを携帯端末２Ｂのユーザにより確実に伝えることが可能となる。また、通信システム１は、携帯端末２Ａが携帯端末２Ｂと通信接続できない場合に留守番電話センターへの発信を繰り返して、携帯電話ネットワーク１０がさらに輻輳してしまうことを抑制することが可能となる。
【００８７】
また、音声データ送信部２８４は、音声によるメッセージを音声保存サーバ８に送信する場合も、基地局３Ａを介した通信より、アクセスポイント５を介した通信を優先して実行する。これにより、災害発生等によって輻輳している携帯電話ネットワーク１０の使用が抑制されるため、通信システム１は、携帯電話ネットワーク１０の輻輳を緩和させることが可能となる。
【００８８】
なお、音声によるメッセージを音声保存サーバ８に送信する場合、音声データ送信部２８４は、ステップＳ１２１〜Ｓ１２２の処理より前にステップＳ１２３〜Ｓ１２４の処理を実行し、アクセスポイント５を介した通信より、基地局３Ａを介した通信を優先して実行してもよい。また、通話制御部２８１は、ステップＳ１２１〜Ｓ１２２の処理、又は、ステップＳ１２３〜Ｓ１２４の処理の内の何れか一方を省略し、アクセスポイント５を介した通信、又は、基地局３Ａを介した通信の内の何れか一方を実行しなくてもよい。
【００８９】
また、通話制御部２８１は、災害信号受信部２８２が災害管理サーバ９から災害信号を受信した場合に限り、ＩＰ通話を実行する。これにより、携帯端末２は、災害が発生していない場合には、ＩＰ通話を実行せずに、通信品質の高い回線交換方式による通話を確実に実行することが可能となる。
【００９０】
なお、通話制御部２８１は、ステップＳ１０８の処理を省略し、災害が発生していない場合でも、交換局４Ａとの通信接続に失敗した場合には、ＩＰ通話を実行してもよい。これにより、通信システム１は、災害発生以外の原因により携帯電話ネットワーク１０が輻輳している場合でも、上記したように、多数のユーザによる通話を実行すること、通信成功率を向上させること、及び、ユーザの利便性を向上させることが可能となる。
【００９１】
以上説明してきたように、通信システム１は、携帯電話ネットワーク１０が輻輳した場合でも、ユーザによる携帯端末の特別な操作を必要とせずに、多数のユーザによる通話を実行することが可能となる。
【００９２】
当業者は、本発明の精神及び範囲から外れることなく、様々な変更、置換及び修正をこれに加えることが可能であることを理解されたい。
【符号の説明】
【００９３】
１    通信システム
２Ａ、２Ｂ    携帯端末
３Ａ、３Ｂ    基地局
４Ａ、４Ｂ    交換局
５    アクセスポイント
６    接続管理サーバ
８    音声保存サーバ
９    災害管理サーバ
２１    第１通信部
２２    第２通信部
２３    入力部
２７    記憶部
２８１    通話制御部
２８２    災害信号受信部
２８３    記憶制御部
２８４    音声データ送信部
【図１】
2018064206.tif 000003
【図２】
2018064206.tif 000004
【図３】
2018064206.tif 000005
【図４】
2018064206.tif 000006
【図５】
2018064206.tif 000007